(57)【要約】      （修正有）【課題】国語や算数等、文字や数字を記載しながら学習を行う際、バランス良く数字や文字を記載させることが可能な学習用紙を提供する。【解決手段】学習用紙は、多数の縦線１と多数の横５線によってマス目状の罫線１０が記載された構成において、各縦線１、及び各横線５に隣接して、各マス目の一辺の１／４以下となる補助縦線１ａ、及び補助横線５ａを記載したことを特徴とする。【選択図】図１
0003142323.tif 000002
【実用新案登録請求の範囲】
【請求項１】
多数の縦線と多数の横線によってマス目状の罫線が記載された学習用紙であって、
前記各縦線、及び各横線に隣接して、各マス目の一辺の１／４以下となる補助縦線、及び補助横線を記載したことを特徴とする学習用紙。
【請求項２】
前記補助縦線、及び補助横線は、各マス目の一辺の１／７以上となるように記載されていることを特徴とする学習用紙。
【請求項３】
前記補助縦線及び補助横線によって形成される各マス目の上下、左右の補助マスが全て等しいことを特徴とする請求項１又は２に記載の学習用紙。
【考案の詳細な説明】
【技術分野】
【０００１】
本考案は、算数や国語などの学習をする際に用いられる学習用紙に関する。
【背景技術】
【０００２】
従来、児童が学習する際に用いる学習用紙として、例えば、ショウワノート株式会社が販売する学習帳に綴じられたものが知られている。この学習帳に綴じられている学習用紙は、以下の非特許文献１や特許文献１で知られているように、数字や漢字、ひらがな、カタカナを整列して記載できるように、碁盤目状にマス目を形成したものとなっている。
【０００３】
このようなマス目は、それぞれのマス目内に、１つの文字や数字を記入させることで、文字の大きさを統一させ、また、長い文章や計算式（縦書きの筆算、横書きの筆算）等を書く際、全体のバランスが取れるように、文字を記載する際の指標としての機能を備えている。
【非特許文献１】URL;www.showa-note.co.jp/（商品カタログ）
【特許文献１】実用新案登録第３０８５４７９号
【考案の開示】
【考案が解決しようとする課題】
【０００４】
しかしながら、単に碁盤目状にマス目を記載したものでは、児童に対してマス目内に目一杯の文字を記入するように学習指導すると、上下、左右の文字間が接近しすぎたり、くっついてしまい、読み難い文章になることがある。また、算数で横書きの計算や縦書きの計算（筆算）を学習指導すると、児童によっては、マス目内に書く数字の大きさがバラバラになってしまい、これにより、隣の行の数字を足したり、引いたりする等の計算誤りが生じることがある。
【０００５】
このような問題が生じるのは、文字や数字を記載する際、大きさを揃えなかったり、文字間隔を適度にバランス良く取らないことに起因するものである。
【０００６】
本考案は、上記した事情に基づいて成されたものであり、国語や算数等、文字や数字を記載しながら学習を行う際、バランス良く数字や文字を記載させることが可能な学習用紙を提供することを目的とする。
【課題を解決するための手段】
【０００７】
上記した目的を達成するために、請求項１に係る考案は、多数の縦線と多数の横線によってマス目状の罫線が記載された学習用紙であって、前記各縦線、及び各横線に隣接して、各マス目の一辺の１／４以下となる補助縦線、及び補助横線を記載したことを特徴とする。
【０００８】
このような構成の学習用紙によれば、各マス目の上下、左右方向に、一定間隔の隙間（補助マス）が形成されるため、各マス目に、目一杯に文字（数字）を記入しても、隣接しあう文字や数字の間に適度な空間が生じるため、バランス良い文章や数字を記載することが可能となる。
【０００９】
また、縦方向や横方向に筆算をする際、方向性を揃えさせることができ、更には、一定間隔の隙間（補助マス）内に繰り上がりの数字を記入させたり、分数の線や割り算の記号を記入させる等、計算の誤りを生じ難くさせることが可能となる。
【００１０】
また、請求項２にあるように、前記補助縦線、及び補助横線は、各マス目の一辺の１／７以上となるように記載されていることが好ましい。
【００１１】
このように構成することで、補助マスの大きさが小さくなり過ぎることがなくなり、補助マスを有効に利用することが可能となる。
【００１２】
また、請求項３にあるように、上記した補助縦線及び補助横線によって形成される各マス目の上下、左右の補助マスは全て等しいことが好ましい。
【００１３】
このように上下、左右の補助マスを等しくしておくことで、隣接する文字の上下、左右の隙間を等しくさせることができ、全体バランスの良い文章を記載させることが可能となる。
【考案の効果】
【００１４】
本考案によれば、文字や数字を記載しながら学習を行う際、バランス良く数字や文字を記載させることが可能な学習用紙が得られる。
【考案を実施するための最良の形態】
【００１５】
以下、本考案に係る学習用紙の一実施形態について説明する。  
図１（ａ）は、例えば、ノートに綴られる１枚の用紙に、本考案に係るマス目状の罫線１０を記載した学習用紙の一例を示す図である。
【００１６】
この図に示すように、用紙の表面には、予め多数の縦線１，１…と多数の横線５，５…によって矩形のマス目状の罫線１０が記載されている。この場合、縦線１と横線５によって形成されるマス目２０は、正方形であっても良いし、長方形であっても良い。
【００１７】
そして、各縦線１，１…、及び各横線５，５…と平行となるように、補助縦線１ａ，１ａ…、及び補助横線５ａ，５ａ…を、それぞれの縦線及び横線に隣接して記載しており、各マス目の上下、及び左右に、前記マス目２０に対して補助となる補助マス３０を設けるようにしている。
【００１８】
この補助マス３０は、縦線１と横線５によって形成されるマス目２０に対し、その大きさをあまり大きくし過ぎると、本来の文字や数字を記載する上で邪魔になってしまうので、図１（ｂ）に示すように、各マス目の幅をＷ１（横幅），及びＷ２（縦幅）とした場合、補助縦線及び補助横線によって規定される各幅ｗ１（補助マスの横幅），及びｗ２（補助マスの縦幅）は、前記Ｗ１，Ｗ２の１／４以下、好ましくは１／５以下とされる。
【００１９】
なお、補助マス３０の大きさを、あまり小さくしすぎると、充分な文字間が取れず、かつ必要な文字や数字（後述する繰り上がりの数字等）が記載し難くなることから、前記比率は、１／７以上にしておくことが好ましい。
【００２０】
また、上記のように形成される補助マス３０については、縦線１と横線５によって形成されるマス目２０に対して、上下、左右全て等しくなるように、前記補助縦線１ａ及び補助横線５ａを記載しておくことが好ましい。
【００２１】
このように上下、左右の補助マス３０を等しくしておくことで、本来のマス目２０に記載される文字や数字に関し、隣接する文字の上下、左右の隙間を等しくさせることができ、全体バランスの良い文章等を記載させることが可能となる。
【００２２】
図２は、上記のような補助マス３０が記載された学習用紙を使用して、算数や国語の学習をする一例を示したものである。
【００２３】
まず、学習者（児童）に対しては、縦線１と横線５によるマス目の中に、目一杯の文字や数字を記入すること、及び、それ以外の文字や記号等については、補助マス３０を使用すること、を学習指導しておく。
【００２４】
このように指導しておくことで、図（ａ）や（ｂ）に示すように、足し算や掛け算などをする際、縦方向（Ｘ）及び横方向（Ｙ）に数字を揃えさせることができ、また、補助マスを使って横棒Ａを記載させることができるため、誤って隣の数字を足す等の計算ミスが生じることが抑制される。また、補助マスに、繰り上がりの数字Ｂを記入することができ、その位置もずれることがないため、計算ミスが生じることが抑制される。
【００２５】
また、図（ｃ）に示すように、文字（漢字、ひらがな、カタカナ）を記載する際、縦方向（Ｘ）及び横方向（Ｙ）に文字を揃えさせることができることから、上下、左右に適度な間隔が生じ、文章全体のバランスを良くし、見やすい文章にすることができる。
【００２６】
さらに、それ以外にも、図（ｄ）や図（ｅ）に示すように、補助マスを使って割り算の記号Ｃを記載させたり、分数の割り算記号Ｄを記載させることができ、これにより、数字配列を揃えさせることが容易となり、計算ミス等の発生を抑制し、文字や数字を記載する際のバランスを向上させることができる。
【００２７】
以上、本考案によれば、文字や数字を記載しながら学習を行う際、バランス良く数字や文字を記載させることができ、学習効果が高められる学習用紙が得られるようになる。なお、上記した学習用紙は、ノートとして綴られていても良いし、１枚づつ個別に使用できる構成であっても良い。
【図面の簡単な説明】
【００２８】
【図１】（ａ）は、ノートに綴られる１枚の用紙に、本考案に係るマス目状の罫線を記載した学習用紙の一例を示す図、（ｂ）は、マス目の拡大図。
【図２】（ａ）から（ｅ）は、それぞれ、図１に示した罫線を使った学習例を示す図。
【符号の説明】
【００２９】
１  縦線
１ａ  補助縦線
５  横線
５ａ  補助横線
１０  罫線
２０  マス目
３０  補助マス
【図１】
0003142323.tif 000003
【図２】
0003142323.tif 000004
【手続補正書】
【提出日】平成20年4月2日(2008.4.2)
【手続補正１】
【補正対象書類名】実用新案登録請求の範囲
【補正対象項目名】全文
【補正方法】変更
【補正の内容】
【実用新案登録請求の範囲】
【請求項１】
多数の縦線と多数の横線によってマス目状の罫線が記載された学習用紙であって、
前記各縦線、及び各横線に、各マス目の一辺の１／４以下の間隔で隣接して補助縦線、及び補助横線を記載したことを特徴とする学習用紙。
【請求項２】
前記補助縦線、及び補助横線は、各マス目の一辺の１／７以上の間隔で隣接して記載されていることを特徴とする請求項１に記載の学習用紙。
【請求項３】
前記補助縦線及び補助横線によって形成される各マス目の上下、左右の補助マスが全て等しいことを特徴とする請求項１又は２に記載の学習用紙。
【手続補正２】
【補正対象書類名】明細書
【補正対象項目名】０００７
【補正方法】変更
【補正の内容】
【０００７】
上記した目的を達成するために、請求項１に係る考案は、多数の縦線と多数の横線によってマス目状の罫線が記載された学習用紙であって、前記各縦線、及び各横線に、各マス目の一辺の１／４以下の間隔で隣接して補助縦線、及び補助横線を記載したことを特徴とする。
【手続補正３】
【補正対象書類名】明細書
【補正対象項目名】００１０
【補正方法】変更
【補正の内容】
【００１０】
また、請求項２にあるように、前記補助縦線、及び補助横線は、各マス目の一辺の１／７以上の間隔で隣接して記載されていることが好ましい。